(57)【要約】【課題】封筒を入れる鞄がない場合などに、単独で持ち運びをしやすい封筒を実現する。【解決手段】封筒１０は、一端側に開口１７が設けられた封筒本体１１と、封筒本体１１の開口１７の縁部１７ａに連続して設けられ、開口１７の縁部１７ａで折り曲げられた場合に開口１７を塞ぐフラップ１２と、封筒本体１１の内面に取り付けられ、開口１７から封筒本体１１の外側に引き出すことが可能な取っ手２１とを備えている。【選択図】図３
0003233660.tif 000002
【実用新案登録請求の範囲】
【請求項１】
一端側に開口が設けられた封筒本体と、
前記封筒本体の開口の縁部に連続して設けられ、前記縁部で折り曲げられた場合に前記開口を塞ぐフラップと、
前記封筒本体の内面に取り付けられ、前記開口から前記封筒本体の外側に引き出すことが可能な取っ手とを備えた、封筒。
【請求項２】
前記取っ手は、その中央部が前記封筒本体の底部側を向く姿勢で設けられ、
前記取っ手は、前記封筒本体への取付部側を支点に回転させることで、前記開口から前記封筒本体の外側に引き出される、請求項１に記載の封筒。
【請求項３】
前記フラップの付け根側には、切り取り線が設けられている、請求項１又は２に記載の封筒。
【請求項４】
前記取っ手を第１取っ手として、
前記封筒本体は、前記第１取っ手が内面に取り付けられた第１シート部と、前記開口を除く外周部で前記第１シート部に接続されて一端側が前記開口の縁部の一部を形成する第２シート部とを備え、
当該封筒は、前記第２シート部の内面に取り付けられ、前記開口から前記封筒本体の外側に引き出すことが可能な第２取っ手をさらに備えている、請求項１乃至３の何れか１つに記載の封筒。
【考案の詳細な説明】
【技術分野】
【０００１】
本考案は、手紙や文書などを封入する封筒に関する。
【背景技術】
【０００２】
手紙や文書などを封入する封筒は、世の中に広く普及している。特許文献１には、配送物を保護するために緩衝性を付与した紙製封筒が記載されている。
【先行技術文献】
【特許文献】
【０００３】
【特許文献１】特開４６５７９５２号公報
【考案の概要】
【考案が解決しようとする課題】
【０００４】
ところで、封筒の開封後などに封筒を持ち運ぶ場合がある。しかし、封筒を入れる鞄がない場合などに、従来の封筒は、単独で持ち運しやすい形態とは言えない。
【０００５】
本考案は、このような事情に鑑みてなされたものであり、単独で持ち運びをしやすい封筒を実現することを目的とする。
【課題を解決するための手段】
【０００６】
上述の課題を解決するべく、第１の考案は、一端側に開口が設けられた封筒本体と、封筒本体の開口の縁部に連続して設けられ、縁部で折り曲げられた場合に開口を塞ぐフラップと、封筒本体の内面に取り付けられ、開口から封筒本体の外側に引き出すことが可能な取っ手とを備えた、封筒です。
【０００７】
第２の考案は、第１の考案において、取っ手は、その中央部が封筒本体の底部側を向く姿勢で設けられ、取っ手は、封筒本体への取付部側を支点に回転させることで、開口から封筒本体の外側に引き出される。
【０００８】
第３の考案は、第１又は第２の考案において、フラップの付け根側には、切り取り線が設けられている。
【０００９】
第４の考案は、第１乃至第３の何れか１つの考案において、取っ手を第１取っ手として、封筒本体は、第１取っ手が内面に取り付けられた第１シート部と、開口を除く外周部で第１シート部に接続されて一端側が開口の縁部の一部を形成する第２シート部とを備え、当該封筒は、第２シート部の内面に取り付けられ、開口から封筒本体の外側に引き出すことが可能な第２取っ手をさらに備えている。
【考案の効果】
【００１０】
本考案では、取っ手が封筒本体の内面に取り付けられ、その取っ手は、封筒本体の開口から外側に引き出すことが可能である。そのため、単独で持ち運ぶ場合であっても持ち運びしやすい封筒を実現することができる。
【図面の簡単な説明】
【００１１】
【図１】図１（ａ）は、本実施形態に係る封筒のフラップを折り曲げた状態の正面図であり、図１（ｂ）は、封筒のフラップを広げた状態の正面図である。
【図２】図２は、本実施形態に係る封筒の内側を開口から覗き込んだ斜視図である。
【図３】図３は、本実施形態に係る封筒の取っ手を封筒本体の外側に引き出した状態の斜視図である。
【考案を実施するための形態】
【００１２】
以下、図面を参照しながら、本考案の実施形態を詳細に説明する。なお、以下の実施形態は、本考案の一例であって、本考案、その適用物、あるいはその用途の範囲を制限することを意図するものではない。
【００１３】
本実施形態は、一対の取っ手２１を有する封筒１０である。封筒１０は、図１〜図３に示すように、一端側に開口１７が設けられ他端側に底部１６が設けられた封筒本体１１と、封筒本体１１の開口１７の縁部１７ａに連続して設けられ開口１７の縁部１７ａで折り曲げられた場合に開口１７を塞ぐフラップ１２とを備えている。なお、封筒１０は、例えば紙製であるが、紙製に限定されない。
【００１４】
封筒本体１１は、正面視で略矩形に形成された、扁平な袋体である。なお、本明細書において「矩形」は正方形を含む。封筒本体１１は、一端にフラップ１２が接続された第１シート部１１ａと、開口１７を除く外周部（３辺）で第１シート部１１ｂに接続された第２シート部１１ｂとを備えている。第１シート部１１ａと第２シート部１１ｂは、同じ形状である。開口１７の縁部１７ａは、第１シート部１１ａの一端と第２シート部１１ｂの一端とにより構成されている。
【００１５】
フラップ１２は、略矩形又は略台形状などに形成される。フラップ１２の先端側（上底側）には、粘着剤が塗布された帯状の粘着領域（図示省略）と、その粘着領域を被覆する剥離紙１８とが設けられている。また、フラップ１２の付け根側には、開口１７の縁部１７ａに沿って延びる２本の切り取り線１２ａが設けられている。フラップ１２の外面には、切り取り線１２ａを認識しやすいようにハサミの図柄が描かれている。また、フラップ１２の内面には、２本の切り取り線１２ａの間に、ビニールテープ１２ｂが貼り付けられている。図１（ｂ）では、切り取り線１２ａは破線で表し、ビニールテープ１２ｂにはハッチングを付けている。ビニールテープ１２ｂを引っ張ることで、各切り取り線１２ａにおける切断がなされる。なお、切り取り線１２ａの本数は１本でもよい。
【００１６】
一対の取っ手２１は、図２に示すように、第１シート部１１ａの内面に取り付けられた第１取っ手２１と、第２シート部１１ｂの内面に取り付けられた第２取っ手２１とにより構成されている。各取っ手２１は、例えば紙製であり、細長い紐状で略Ｕ字状に形成されている。各取っ手２１は、例えばテープ１９により、各端部２１ｂが封筒本体１１の内面に固定されている。一対の取っ手２１は、同じ高さに固定されている。なお、封筒本体１１の内面に対する取っ手２１の固定手段は、テープ１９に限定されず、接着剤など他の手段を用いてもよい。また、図２及び図３では、封筒本体１１の外面の文字の記載は省略している。
【００１７】
各取っ手２１は、その中央部２１ａが封筒本体１１の底部１６側を向く姿勢で設けられている。具体的に、各取っ手２１の各端部２１ｂは底部１６側を向くが、各取っ手２１は付け根又はその近傍で底部１６側に折り曲げられている。また、取っ手２１の高さは、各取っ手２１の折り曲げ箇所から開口１７の縁部１７ａまでの高さよりも大きい。そのため、各取っ手２１は、封筒本体１１への取付部（各端部２１ｂ）側を支点に回転させることで、開口１７から封筒本体１１の外側に引き出される。
【００１８】
なお、各取っ手２１は、各端部２１ｂが開口１７側を向くように取り付けてもよい。この場合、各取っ手２１は、折り曲げなくても、中央部２１ａが底部１６側を向く。そして、各取っ手２１を使用する場合に、各取っ手２１は、付け根又はその近傍で開口１７側に折り曲げて回転させることで、開口１７から封筒本体１１の外側に引き出される。
【００１９】
［実施形態の効果］
本実施形態に係る封筒１０は、上述したように、封筒本体１１の開口１７から外側に各取っ手２１を引き出すことが可能である。そのため、例えば封筒１０の開封後に、各取っ手２１を引き出し、図３に示す手提げ袋の形態に変更することができる。従って、単独で持ち運ぶ場合であっても持ち運びしやすい封筒１０を実現することができる。なお、封筒１０を手提げ袋の形態にする場合に、図３に示すように、フラップ１２は封筒本体１１の外面に重なるように折り曲げてもよいし、また切り取り線１２ａで切断してもよい。後者の場合に、手提げ袋の形態の際にフラップ１２が邪魔になることがない。
【００２０】
また、本実施形態では、取っ手２１の中央部２１ａが封筒本体１１の底部１６側を向く姿勢で設けられている。そのため、封筒本体１１の内面に対する取っ手２１の取付箇所を開口１７寄りにすることができ、取っ手２１の大部分を開口１７の外側に引き出すことができる。
【００２１】
［その他の実施形態］
上述の実施形態において、封筒本体１１の内面に取り付ける取っ手２１は、１つであってもよい。この場合、例えば、封筒本体１１とフラップ１２の境界部に、取っ手２１を通す切り取り線を設けることができる。封筒本体１１の開口１７から外側に取っ手２１を引き出す際に、その切り取り線の切断により形成した切れ込みに、取っ手２１を通して、フラップ１２により開口１７を閉じることができる。
【００２２】
上述の実施形態において、取っ手２１の中央部２１ａが封筒本体１１の開口１７側を向く姿勢で設けてもよい。この場合に、取っ手２１は、例えば電車のパンタグラフのように外側に広がるように折り曲げてもよい。
【００２３】
上述の実施形態において、封筒本体１１の厚みを大きくすることができるように、封筒本体１１の側部や底部に、例えば内側に折り込まれたマチを設けてもよい。
【産業上の利用可能性】
【００２４】
本考案は、手紙や文書などを封入する封筒等に適用可能である。
【符号の説明】
【００２５】
１０    封筒
１１    封筒本体
１２    フラップ
１７    開口
１７ａ  縁部
２１    第１取っ手、第２取っ手
【図１】
0003233660.tif 000003
【図２】
0003233660.tif 000004
【図３】
0003233660.tif 000005